(57)【要約】【課題】軽量で容易に持ち上げることができ、上面に敷かれた布団類を外すことなく通気性を高めて簡易的な布団干しを容易に行うことができる布団敷板を提供する。【解決手段】布団敷板１０の短手方向に延在する敷板１３、１４、１５と布団敷板１０の長手方向に延在して敷板１３、１４、１５の下部を支える縦材１６、１７とから形成された一対の簀の子状敷板１１、１２を有し、簀の子状敷板１１、１２は、分割自在且つ外側部が上方に回動するよう曲折自在に連結され、縦材１７は、外側近傍の敷板１５が上方に離間できるよう連結側の敷板１４に回動自在に取り付けられており、縦材１７には、外側近傍の上方に移動した敷板１５の下面を支持する支持具２２が回動自在に取り付けられている。これにより、布団類を外すことなく、布団敷板１０を側面視略Ｖ字状にすることができ、布団類への通気性を良好にして簡易的な布団干しを容易に行うことができる。【選択図】図２
2019208723.tif 000002
【特許請求の範囲】
【請求項１】
敷き布団類の下に敷かれて前記敷き布団類を支える布団敷板であって、
前記布団敷板の短手方向に延在する敷板と前記布団敷板の長手方向に延在して前記敷板の下部を支える縦材とから形成された一対の簀の子状敷板を有し、
一対の前記簀の子状敷板は、分割自在且つ外側部が上方に回動するよう曲折自在に連結され、
前記縦材の少なくとも１つは、外側近傍の前記敷板が上方に離間できるよう連結側の前記敷板の近傍に回動自在に取り付けられており、
回動自在に取り付けられた前記縦材には、外側近傍の上方に移動した前記敷板の下面を支持する支持具が回動自在に取り付けられていることを特徴とする布団敷板。
【請求項２】
外側近傍の前記敷板の下面には、一対の横支持材が設けられており、
一対の前記横支持材の間には、前記支持具が着脱自在に挿入されて前記敷板の下面に当接する係止部が形成されていることを特徴とする請求項１に記載の布団敷板。
【請求項３】
前記支持具には、外側近傍の前記敷板の上面側に当接する支持部が形成されていることを特徴とする請求項１または請求項２に記載の布団敷板。
【請求項４】
連結側の前記敷板の下面に設けられて連結側から反対方向に向かう端部が２つの前記敷板の間に延在する連結縦材と、
前記連結縦材の前記端部に掛けられて一対の前記簀の子状敷板を連結する連結紐と、を有することを特徴とする請求項１から請求項３の何れか１項に記載の布団敷板。
【請求項５】
回動自在に取り付けられた前記縦材には、前記簀の子状敷板が平らにされた状態において前記支持具が当接する支持ピン部が設けられていることを特徴とする請求項１から請求項４の何れか１項に記載の布団敷板。
【発明の詳細な説明】
【技術分野】
【０００１】
本発明は、敷き布団類の下に敷いて利用される簀の子状の布団敷板に関する。
【背景技術】
【０００２】
従来、この種の布団敷板として、例えば、特許文献１に開示されたふとん干し兼用ふとん敷き板装置が知られている。同文献のふとん干し兼用ふとん敷き板装置は、１組の敷き布団に対して、結合して使用される２個１対の簀の子状の敷き板を有し、各敷き板は、敷き布団を敷くためのすの子部と、すの子部を立てて布団干しに利用可能にするための支え脚部とから成り、２個１対の敷き板を分離可能に結合しておくための結合手段を備えている。このような構成により、２個１対のすの子状の敷き板を分離して、支え脚部で立てることによって、１台のふとん敷き板装置で２枚の布団を干すことができる。
【０００３】
また例えば、特許文献２には、結合して使用される２個一対のすのこ状敷板を有する布団類干し兼用敷布団敷き板装置が開示されている。同文献に記載されたすのこ状敷板は、敷板本体と当該敷板本体を自立可能に支える回転体とを有し、敷板本体を回転体で自立可能に支えた場合に回転体と敷板本体が側面視略Ｘ字状を成す。これにより、敷板本体の上端部と回転体の上端部で布団類を支えることができる。
【先行技術文献】
【特許文献】
【０００４】
【特許文献１】特開２００５−６６２４２号公報
【特許文献２】特開２０１１−１０２４８１号公報
【発明の概要】
【発明が解決しようとする課題】
【０００５】
しかしながら、上記した従来技術の布団敷板のように、２つの簀の子状敷板を有し、その２つの簀の子状敷板を分割して自立させる構成では、布団を干す作業が容易ではないという問題点があった。
【０００６】
具体的には、通気性を良好にして布団を干すためには、先ず、布団敷板に敷かれている布団を上げ、次に、２つの簀の子状敷板を分割して自立させ、その後、自立した簀の子状敷板の上に布団を掛ける作業が必要であった。
【０００７】
このような布団干し作業は毎日行われることが望ましく、布団干し作業が行われないと、布団から余分な水分を蒸発させて湿気を良好に保つことができない恐れもある。このような布団干し作業は、特に身体的能力が低下した高齢者にとっては負担となる。
【０００８】
また、上記した従来技術の布団敷板では、簀の子状敷板の敷板を支持する縦材の本数が多く、簀の子状敷板が重たくなる。具体的には、特許文献１に開示されたふとん干し兼用ふとん敷き板装置は、すの子部の板と交差する４本の桟と、支え脚部を支える４本の桟と、の計８本の桟を有する。特許文献２に開示された布団類干し兼用敷布団敷き板装置は、敷板本体を形成する４本の縦板と、回転体を形成する２本の縦板と、の計６本の縦板を有する。
【０００９】
布団敷板が重たいと、簀の子状敷板を分割して立ち上げるために大きな力が必要となり、布団類を干す際の作業負担が大きくなる。また、布団敷板の重量が大きいと、室内における布団敷板の移動が困難になる他、販売時等における輸送負担も増大する。
【００１０】
本発明は、上記の事情に鑑みてなされたものであり、その目的とするところは、軽量で容易に持ち上げることができ、上面に敷かれた布団類を外すことなく通気性を高める簡易的な布団干しを容易に行うことができる布団敷板を提供することにある。
【課題を解決するための手段】
【００１１】
本発明の布団敷板は、敷き布団類の下に敷かれて前記敷き布団類を支える布団敷板であって、前記布団敷板の短手方向に延在する敷板と前記布団敷板の長手方向に延在して前記敷板の下部を支える縦材とから形成された一対の簀の子状敷板を有し、一対の前記簀の子状敷板は、分割自在且つ外側部が上方に回動するよう曲折自在に連結され、前記縦材の少なくとも１つは、外側近傍の前記敷板が上方に離間できるよう連結側の前記敷板の近傍に回動自在に取り付けられており、回動自在に取り付けられた前記縦材には、外側近傍の上方に移動した前記敷板の下面を支持する支持具が回動自在に取り付けられていることを特徴とする。
【発明の効果】
【００１２】
本発明の布団敷板によれば、敷き布団類の下に敷かれて敷き布団類を支える布団敷板であって、布団敷板の短手方向に延在する敷板と布団敷板の長手方向に延在して敷板の下部を支える縦材とから形成された一対の簀の子状敷板を有し、一対の簀の子状敷板は、分割自在に連結されている。そして、一対の簀の子状敷板は、外側部が上方に回動するよう曲折自在に連結されている。これにより、布団敷板の上に敷かれた布団類を外すことなく、布団類が敷かれたままの状態で、連結部近傍を中心として簀の子状敷板を回動させて、簀の子状敷板の外側部、即ち、布団敷板の長手方向の端部近傍、を上方に持ち上げることができる。
【００１３】
そして、縦材の少なくとも１つは、外側近傍の敷板が上方に離間できるよう連結側の敷板の近傍に回動自在に取り付けられており、回動自在に取り付けられた縦材には、外側近傍の上方に移動した敷板の下面を支持する支持具が回動自在に取り付けられている。これにより、布団類が掛けられた状態で上方に持ち上げられた簀の子状敷板の端部近傍を支持具で支えることができる。
【００１４】
上記のように構成された布団敷板は、布団類が敷かれたままの状態で、連結部近傍及びそこに回動自在に取り付けられた縦材の近傍が床面に置かれたまま、両側の簀の子状敷板が回動して両端部近傍が上方に移動して支持具で支持され、側面視略Ｖ字状の形態になる。これにより、布団敷板から布団類を上げて外すことなく、布団類への通気性を良好にして簡易的な布団干しを容易に行うことができる。
【００１５】
また、側面視略Ｖ字状になるよう両側の外側部が持ち上げられた布団敷板は、簀の子状敷板を構成する縦材の一部である回動自在に取り付けられた縦材によって床上に保持されることになる。そのため、持ち上げられた簀の子状敷板を保持するために、簀の子状敷板を構成する縦材と同程度の長い支持材を別途設ける必要がない。よって、布団敷板の軽量化を図ることができる。
【００１６】
また、本発明の布団敷板によれば、外側近傍の敷板の下面には、一対の横支持材が設けられており、一対の横支持材の間には、支持具が着脱自在に挿入されて敷板の下面に当接する係止部が形成されても良い。これにより、布団類と共に持ち上げられた敷板の下面に、簀の子状敷板を支えるための支持具を容易に取り付けることができる。また、係止部に支持具が嵌められることにより、敷板を持ち上げて布団類を簡易的に干す際に、支持具が敷板から外れてしまうことを防止することができる。
【００１７】
また、本発明の布団敷板によれば、支持具には、外側近傍の敷板の上面側に当接する支持部が形成されても良い。これにより、一対の簀の子状敷板を分離して連結部を上にして立てた後、回動自在な縦材を回動させてその下部を敷板から離し、支持具を回動させてその先端近傍を敷板の上面側下部に固定することができる。即ち、分離した一対の簀の子状敷板を、側面視略逆Ｖ字状に自立させることができる。そして、立設された簀の子状敷板に布団類を載せて干すことができる。
【００１８】
また、本発明の布団敷板によれば、連結側の敷板の下面に設けられて連結側から反対方向に向かう端部が２つの敷板の間に延在する連結縦材と、連結縦材の端部近傍に掛けられて一対の簀の子状敷板を連結する連結紐と、を有しても良い。これにより、一対の簀の子状敷板の連結、分離を容易に行うことができる。また、連結された状態の一対の簀の子状敷板の外側部を容易に持ち上げることができる。
【００１９】
また、本発明の布団敷板によれば、回動自在に取り付けられた縦材には、簀の子状敷板が平らにされた状態において支持具が当接する支持ピン部が設けられても良い。これにより、支持具を回動自在な縦材に対して略平行に支持することができ、簀の子状敷板の連結や分離、移動の作業等を安全且つ容易に行うことができる。
【図面の簡単な説明】
【００２０】
【図１】本発明の実施形態に係る布団敷板の概略を示す平面図である。
【図２】本発明の実施形態に係る布団敷板の両端部が持ち上げられた簡易的な布団干しの状態を示す透視図である。
【図３】本発明の実施形態に係る布団敷板の両端部が持ち上げられた簡易的な布団干しの状態を示す透視図である。
【図４】本発明の実施形態に係る簀の子状敷板の概略を示す底面図である。
【図５】本発明の実施形態に係る布団敷板の外側部近傍の敷板を下面側から見た斜視図である。
【図６】本発明の実施形態に係る支持具が取り付けられた縦材を上面側から見た透視図である。
【図７】本発明の実施形態に係る布団敷板の簡易的な布団干しの状態における支持具で支持された外側部近傍を示す側面断面図である。
【図８】本発明の実施形態に係る布団敷板の簡易的な布団干しの状態における一方の簀の子状敷板近傍を示す側面図である。
【図９】本発明の実施形態に係る簀の子状敷板を略逆Ｖ字状に自立させた状態の支持具近傍を示す側面断面図である。
【図１０】本発明の実施形態に係る簀の子状敷板を略逆Ｖ字状に自立させた状態を示す側面図である。
【発明を実施するための形態】
【００２１】
以下、本発明の実施形態に係る布団敷板を図面に基づき詳細に説明する。
図１は、本発明の実施形態に係る布団敷板１０の概略を示す平面図である。図１に示すように、布団敷板１０は、一対の簀の子状敷板１１、１２を有し、上面に敷き布団その他の布団類が敷かれて用いられるものである。
【００２２】
一対の簀の子状敷板１１、１２は、布団敷板１０の長手方向に並べて設けられており、長手方向の略中央において、分割及び曲折自在に連結されている。具体的には、一対の簀の子状敷板１１、１２は、一方の簀の子状敷板１１に取り付けられた連結紐３１が、他方の簀の子状敷板１２の連結縦材３０に引っ掛けられることにより連結されている。このように、連結紐３１によって簀の子状敷板１１、１２を連結させる構成により、簀の子状敷板１１、１２の連結及び分離の作業を容易に行うことができる。
【００２３】
簀の子状敷板１１、１２は、それぞれ布団敷板１０の短手方向に延在する敷板１３、１４、１５と、布団敷板１０の長手方向に延在する縦材１６、１７と、を有する。敷板１４は、簀の子状敷板１１及び簀の子状敷板１２の連結部、即ち布団敷板１０の長手方向の中央近傍、に設けられる敷板である。敷板１５は、簀の子状敷板１１、１２の外側部、即ち布団敷板１０の長手方向の端部近傍、に設けられる敷板である。
【００２４】
敷板１３、１４、１５は、略矩形板状の形態をなし、敷板１３、１４、１５の上面は、布団類が載置される面となる。縦材１６、１７は、床面等に載置されて敷板１３、１４、１５の下部を支える部材であり、略角棒状の形態をなしている。
【００２５】
布団敷板１０を構成する各部材の材質としては、特に限定されるものではないが、本実施形態に係る布団敷板１０では、木材が用いられている。布団敷板１０の材質として、例えば、桐材等は、軽量で湿気対策に適しており、また、檜材等は、防虫効果や芳香作用が期待できるので好ましい。
【００２６】
図２は、布団敷板１０を中央部近傍の側方から見た透視図であり、布団敷板１０の両端部が持ち上げられた状態を示している。図２に示すように、簀の子状敷板１１、１２は、布団敷板１０の長手方向の両端部を上方に持ち上げることができるよう曲折自在に接続されている。
【００２７】
一対の簀の子状敷板１１、１２の連結部が回動し、外側部が持ち上げられた布団敷板１０は、側面視略Ｖ字状の形態になる。側面視略Ｖ字状に折り曲げられた布団敷板１０は、連結部側の敷板１４と、一端が敷板１４の近傍に回動自在に取り付けられた縦材１７と、によって床面上に保持されている。
【００２８】
図３は、布団敷板１０を簀の子状敷板１１側の斜め上方から見た透視図であり、布団敷板１０の両端部が持ち上げられた状態を示している。図３に示すように、簀の子状敷板１１、１２の縦材１７は、一端側が敷板１４の近傍に回動自在に接続されており、敷板１３、１５には、固定されていない。そのため、簀の子状敷板１１、１２の外側近傍が持ち上げられると、敷板１３、１５は縦材１７から離間する。そして、敷板１４及び縦材１７の外側端部は、床面に置かれたままの状態になる。
【００２９】
縦材１７の外側部の近傍には、支軸部１９を介して、支持具２２が回動自在に取り付けられている。敷板１５が上方に持ち上げられた状態で、支持具２２を回動させることにより、支持具２２の支持部２４（図６参照）を敷板１５の下面に設けられている係止部２８に挿入することができる。これにより、敷板１５が支持具２２によって支えられ、布団敷板１０は、側面視略Ｖ字状の状態で固定される。
【００３０】
このように、回動自在な縦材１７及び支持具２２が設けられることにより、持ち上げられた簀の子状敷板１１、１２を保持するために、簀の子状敷板１１、１２を構成する縦材１６、１７と同程度の長い支持材を別途設ける必要がない。よって、布団敷板１０の軽量化を図ることができ、布団敷板１０の持ち運びや、側面視略Ｖ字状になるよう両端部を持ち上げる動作等を容易に行うことができる。
【００３１】
図４は、一方の簀の子状敷板１１の概略を示す底面図である。なお、他方の簀の子状敷板１２（図１参照）についても、簀の子状敷板１１に設けられている連結紐３１が設けられていないこと以外は、一方の簀の子状敷板１１と同様の構成である。
【００３２】
図４に示すように、簀の子状敷板１１には、前述の通り、持ち上げられた敷板１５近傍を保持するための回動自在な縦材１７及び支持具２２が設けられている。そのため、簀の子状敷板１１の敷板１３、１４、１５を長手方向に支えるための長い支持材は、２本の縦材１６と、２本の縦材１７と、の計４本で良い。そのため、簀の子状敷板１１は、軽量であり、持ち上げや持ち運び等が容易である。
【００３３】
簀の子状敷板１１の下面には、一対の縦材１７を支持するための左右一対の縦支持材２６が設けられている。縦支持材２６は、略角棒状の形態をなしており、簀の子状敷板１１の長手方向に延在し、連結部側の敷板１４の下面と、敷板１４に隣接する敷板１３の下面と、を繋ぐように固定されている。
【００３４】
縦支持材２６は、布団敷板１０が床面に載置されて布団類の敷板として用いられる際、縦材１６、１７と同様に、下面が床面に当接するよう形成されている。これにより、縦支持材２６は、布団敷板１０の上面に布団類が敷かれた際に、縦材１６、１７と共に、敷板１３、１４への荷重を支えることができ、簀の子状敷板１１の強度及び耐久性を高めることができる。
【００３５】
一対の縦支持材２６には、支軸部１８が設けられており、支軸部１８を介して、それぞれ縦材１７の連結部側の端部近傍が回動自在に取り付けられている。これにより、床面に載置されている簀の子状敷板１１について、図３に示すように、外側部の敷板１５を持ち上げることにより、縦材１７の外側端部が床面に載置された状態として、縦材１７と敷板１５を離間させることができる。
【００３６】
図４に示すように、縦材１７の敷板１４側の端部は、敷板１４と、敷板１４に隣接する敷板１３と、の間に位置する。これにより、縦材１７を回動させた場合に縦材１７の端部が敷板１４または敷板１３と接触することを防止でき、簀の子状敷板１１の外側部を容易に持ち上げることができる。
【００３７】
左右一対の縦材１７の間には、左右の縦材１７を連結する一対の横材２０が設けられている。具体的には、一対の横材２０は、布団敷板１０の短手方向に延在する略角棒状の形態をなし、一端が右側の縦材１７に、他端が左側の縦材１７に固定されている。
【００３８】
横材２０によって左右の縦材１７が固定されることによって、一対の縦材１７の変形が抑えられ、剛性が高められる。よって、前述の通り布団敷板１０の両端部が持ち上げられた状態、または、後述するよう簀の子状敷板１１が自立した状態において、簀の子状敷板１１及びその上に載せられる布団類を安定的に支えることができる。
【００３９】
また、横材２０は、簀の子状敷板１１が床面に載置される際に、２つの敷板１３の間に配置されるよう、縦材１７に取り付けられている。詳しくは、縦材１７の上面が敷板１３の下面に当接するよう縦材１７が閉じられた状態において、横材２０の上面側は、２つの敷板１３の間に挿入される。
【００４０】
横材２０は、連結部側の敷板１３に対しては、敷板１３の側面に接する程度に近く、外側の敷板１３に対しては、横材２０と敷板１３の間に隙間が形成されるよう離れて配置されている。これにより、横材２０と外側の敷板１３との間に手の指等を挿入することができ、簀の子状敷板１１の持ち運びを容易にすることができる。
【００４１】
また、横材２０の下面は、布団敷板１０が床面に載置された際、縦材１７の下面と略同面に並び、床面に当接するよう形成されても良い。これにより、横材２０は、布団敷板１０の上面に布団類が敷かれた際に、縦材１７と共に床面に接して敷板１３、１４、１５への荷重を支えることができる。
【００４２】
連結部側に設けられる敷板１４の略中央には、一対の簀の子状敷板１１、１２を連結するための左右一対の連結縦材３０が設けられている。連結縦材３０は、略角棒状の形態をなし、簀の子状敷板１１の長手方向に延在するように設けられている。
【００４３】
連結縦材３０は、一方の端部が、連結側の敷板１４と、敷板１４に隣接する敷板１３と、の間に位置するように設けられている。即ち、連結縦材３０の端部は、底面視において、敷板１４から敷板１３側に突出し、連結縦材３０の端部と敷板１３との間には隙間が形成されている。
【００４４】
また、連結縦材３０は、布団敷板１０が床面に載置された際に床面に当接するよう、厚み方向の寸法が縦材１６及び縦支持材２６と略同じになるよう形成されても良い。これにより、連結縦材３０は、布団敷板１０の上面に布団類が敷かれた際に、縦材１６及び縦支持材２６と共に、敷板１４の下面を支えることができる。
【００４５】
簀の子状敷板１１の連結部側には、一対の簀の子状敷板１１、１２を連結するための連結紐３１が取り付けられている。連結紐３１は、繊維等からなる紐状体から形成され、連結縦材３０の端部近傍から略輪状に突出するよう、両端部が敷板１４と連結縦材３０に挟まれて固定されている。
【００４６】
上記のように一方の簀の子状敷板１１の連結部側に取り付けられた連結紐３１は、図１に示すように、他方の簀の子状敷板１２に取り付けられた連結縦材３０の敷板１３側の外側端部に掛けられる。これにより、簀の子状敷板１１、１２を分割自在且つ曲折自在に連結することができる。よって、簀の子状敷板１１、１２の連結、分離を容易に行うことができる。また、連結された状態の一対の簀の子状敷板１１、１２の外側部を容易に持ち上げることができる。
【００４７】
図５は、布団敷板１０の外側部近傍の敷板１５を下面側から見た斜視図である。図５に示すように、布団敷板１０の外側部近傍に設けられた敷板１５の下面には、一対の横支持材２７が設けられている。
【００４８】
横支持材２７は、略角棒状に形成されており、敷板１５の略中央に敷板１５と略平行になるように設けられている。一対の横支持材２７は、簀の子状敷板１１、１２の長手方向に所定の間隔を空けて並べて設けられており、一対の横支持材２７の間には、係止部２８が形成されている。係止部２８は、支持具２２（図６参照）の支持部２４（図６参照）を挿入するための空間であり、係止部２８に挿入された支持部２４は、敷板１５の下面に当接して敷板１５を支持する。
【００４９】
また、横支持材２７の下面は、布団敷板１０が床面に載置された際、床面に当接するよう形成されても良い。これにより、横支持材２７によって敷板１５の中央近傍を支持することができるため簀の子状敷板１１、１２の強度及び耐久性を高めることができる。
【００５０】
図６は、支持具２２が取り付けられた縦材１７を上面側から見た透視図である。図６に示すように、縦材１７の外側端部近傍には、敷板１５（図５参照）を支持するための支持具２２が回動自在に取り付けられている。
【００５１】
支持具２２は、鋼管等を曲折成形することにより略コ字状に形成されており、中央辺部が短手方向に延在して係止部２８（図５参照）に挿入される支持部２４となる。支持具２２の両端部、即ち図６において下方の端部は、短辺方向外側に曲折されて支軸部１９が形成されている。支持具２２は、両端の支軸部１９が左右一対の縦材１７に挿入されて、回動自在に支持されている。
【００５２】
支持具２２が縦材１７に対して回動自在に支持されていることにより、簀の子状敷板１１、１２が床面に載置されて布団類が敷かれる際には、支持具２２は、両辺部が縦材１７と略平行になるよう収納される。
【００５３】
一方の縦材１７の内側には、支持ピン部２９が設けられている。支持ピン部２９は、例えば、アイボルト等の金具や角材等である。支持ピン部２９が設けられることにより、支持具２２を支持ピン部２９に当接させて、支持具２２を回動自在な縦材１７に対して略平行に支持することができ、簀の子状敷板１２の連結や分離、移動の作業等を安全且つ容易に行うことができる。
【００５４】
支持具２２の両辺部の支持部２４近傍には、曲折部２３が形成されている。具体的には、曲折部２３では、簀の子状敷板１１、１２が床面に載置され、支持具２２が縦材１７に対して略平行となるよう回動された状態において、支持部２４が下方になるよう、両辺部が曲折されている。
【００５５】
換言すれば、支持部２４が縦材１７から離れるよう支持具２２が回動された状態においては、支持部２４は、曲折部２３によって簀の子状敷板１１、１２の連結部側に向かって曲折されている。
【００５６】
支持具２２には、短手方向に延在して両辺部を繋ぐ支持材２５が設けられている。支持材２５によって両辺部が固定されて支持されることにより、支持具２２の強度を高め、変形を抑えることができる。また、支持材２５が設けられることにより、支持具２２を回動自在に支持する縦材１７の外側端部近傍についても変形を抑えることができる。
【００５７】
なお、図示を省略するが、支持具２２の支持部２４またはその近傍には、支持具２２を回動させる際に把持するための把手部が設けられても良い。把手部としては、例えば、略Ｕ字状等に形成された金具等がねじや溶接等によって取り付けられても良いし、支持具２２を構成する鋼管等の一部分から曲折成形されても良い。把手部が設けられることにより、支持具２２を回動させる作業を容易に行うことができる。
【００５８】
図７は、布団敷板１０の簡易的な布団干しの状態における外側部近傍を図４に示すＡ−Ａ線断面で示す側面断面図であり、簀の子状敷板１１、１２の支持具２２で支持された敷板１５の近傍を示している。図７に示すように、一対の横支持材２７の間の係止部２８に支持具２２の支持部２４を挿入して、支持部２４の近傍を敷板１５の下面に当接させることができる。これにより、支持具２２で敷板１５の下面を支えることができる。
【００５９】
また、一対の横支持材２７が設けられて、その間に支持部２４が掛けられる係止部２８が形成されることにより、敷板１５近傍を持ち上げて布団類を簡易的に干す際に、支持具２２が回動して係止部２８から外れてしまうことを防止することができる。
【００６０】
このような構成により、図２及び図３に示すように、簀の子状敷板１１、１２の外側端部を持ち上げて布団敷板１０を略Ｖ字状の形態にする際、支持具２２を係止部２８に挿入し、簀の子状敷板１１、１２の敷板１５を支持することができる。即ち、布団類と共に持ち上げられた敷板１５の下面に、簀の子状敷板１１、１２を支えるための支持具２２を容易に取り付けることができ、布団敷板１０による簡易的な布団干しを行うことができる。
【００６１】
図８は、布団敷板１０の簡易的な布団干しの状態における一方の簀の子状敷板１１近傍を示す側面図である。図８に示すように、布団敷板１０で簡易的な布団干しを行うためには、敷き布団や掛け布団等の布団類４０が載置されたままの状態で布団敷板１０の外側部を持ち上げる。
【００６２】
この際、縦材１７は簀の子状敷板１１、１２に対して回動して、略水平の床面に残された状態になっている。そして、前述の通り、縦材１７の外側端部近傍に回動自在に設けられている支持具２２は、支持部２４（図７参照）側が上方に回動して敷板１５の下面に当接し、持ち上げられている簀の子状敷板１１、１２の外側部近傍を支える。
【００６３】
これにより、布団敷板１０は、上面に布団類４０が載せられた状態で側面視略Ｖ字状に形成される。このように、本実施形態によれば、布団敷板１０から布団類４０を上げて外すことなく、布団類４０への通気性を良好にして簡易的な布団干しを容易に行うことができる。
【００６４】
図９は、簀の子状敷板１１、１２を略逆Ｖ字状に自立させた状態の支持具近傍を図４に示すＡ−Ａ線断面で示す側面断面図である。図７を参照して説明した通り、支持具２２の支持部２４近傍は曲折部２３によって曲折されているので、図９に示すように、支持部２４を敷板１５の上面に当接させることができる。これにより、簀の子状敷板１１、１２を略逆Ｖ字状に自立させる際には、支持部２４を敷板１５の上面に当接させて、敷板１５を支持することができる。
【００６５】
図１０は、簀の子状敷板１１、１２を略逆Ｖ字状に自立させた状態を示す側面図である。図１０に示すように、簀の子状敷板１１、１２は、分離された状態で、それぞれ側面視略逆Ｖ字状に自立させることができる。
【００６６】
具体的には、一対の簀の子状敷板１１、１２を分離して連結部を上方にして立てた後、縦材１７を外側端部近傍が敷板１５から離れるよう回動させて開き、簀の子状敷板１１、１２の一方側の支えを縦材１７とし、他方側の支えを縦材１６とする。
【００６７】
次に、支持具２２を回動させて床面に当接するよう略水平状に開き、簀の子状敷板１１、１２の縦材１６側を持ち上げて支持具２２の上部に敷板１５を載せる。次に、縦材１６を開く方向に回動させて、敷板１５の上面を支持部２４に当接させる。
【００６８】
これにより、簀の子状敷板１１、１２の支えとなっている縦材１６と縦材１７がそれ以上開かないように支持具２２で支持することができ、簀の子状敷板１１、１２が自立した状態になる。そして、側面視略逆Ｖ字状に自立した２つの簀の子状敷板１１、１２の上部に、それぞれ布団類４０を載せて、布団干しを行うことができる。
【００６９】
以上説明の如く、本願実施形態に係る布団敷板１０では、上面に敷かれた布団類を外すことなく、布団類が敷かれたままの状態で、連結部近傍を中心として簀の子状敷板１１、１２を回動させて、簀の子状敷板１１、１２の外側部を上方に持ち上げることができる。
【００７０】
これにより、身体的能力が低下した高齢者にとっても、負担が少なく容易な作業によって、布団類の通気性を良好にして余分な水分を蒸発させる簡易的な布団干しを行うことができる。
【００７１】
また、布団敷板１０に敷かれた布団類を上げれば、簀の子状敷板１１、１２を容易に分離してそれぞれ側面視略逆Ｖ字状に自立させることができる。略逆Ｖ字状に自立した２つの簀の子状敷板１１、１２には、取り外した布団類その他を載せて、通常の布団干しのように布団類等を干すことができる。
【００７２】
なお、本発明は、上記実施形態に限定されるものではなく、その他、本発明の要旨を逸脱しない範囲で、種々の変更実施が可能である。
【符号の説明】
【００７３】
１０    布団敷板
１１    簀の子状敷板
１２    簀の子状敷板
１３    敷板
１４    敷板
１５    敷板
１６    縦材
１７    縦材
１８    支軸部
１９    支軸部
２０    横材
２２    支持具
２３    曲折部
２４    支持部
２６    縦支持材
２７    横支持材
２８    係止部
２９    支持ピン部
３０    連結縦材
３１    連結紐
【図１】
2019208723.tif 000003
【図２】
2019208723.tif 000004
【図３】
2019208723.tif 000005
【図４】
2019208723.tif 000006
【図５】
2019208723.tif 000007
【図６】
2019208723.tif 000008
【図７】
2019208723.tif 000009
【図８】
2019208723.tif 000010
【図９】
2019208723.tif 000011
【図１０】
2019208723.tif 000012